(57)【要約】【課題】少数のファイバ心線の接続に対応するようになされ、十分な防水性・防沫性を有し、軽量かつ堅牢であって小型のクロージャを提供する。【解決手段】ケーブル導入部に取り付けられる端面グロメット３と、光ケーブルの外皮を押さえるケーブル押さえ４と、光ケーブルのテンションメンバを把持固定するテンション固定金具５と、ファイバ心線の接続部および余長を収納しドロップケーブルを押さえる余長収納トレイ６と、スリーブ開閉時に心線のスリーブ挟み込みを防止する心線保護シート７と、これらを固定する連結棒８と、をスリーブ内に収納するクロージャとした。【選択図】図３
2014186088.tif 000002
【特許請求の範囲】
【請求項１】
略円筒体であって両端に尖り先の端部を有し、分割可能になされたスリーブと、
スリーブ内のケーブル導入部に取り付けられる端面グロメットと、
光ケーブルの外皮を押さえるケーブル押さえと、
光ケーブルのテンションメンバを把持固定するテンション固定金具と、
ファイバ心線の接続部および余長を収納し、ドロップケーブルを押さえる余長収納トレイと、
スリーブ開閉時に心線のスリーブ挟み込みを防止する心線保護シートと、
ケーブル押さえ、テンション固定金具、余長収納トレイ、および、心線保護シートを固定する連結棒と、
メッセンジャワイヤまたはケーブル吊り線にクロージャを吊り下げる吊り金具と、
を備えることを特徴とするクロージャ。
【発明の詳細な説明】
【技術分野】
【０００１】
本発明は、二本のファイバ心線の接続部を収納するクロージャに関する。
【背景技術】
【０００２】
クロージャは従来から鋭意開発がなされ、本出願人も過去に特許出願を行っている。そのような従来技術が、例えば、特許文献１（発明の名称：クロージャ）に開示されている。このような従来技術のクロージャでは、多数の融着接続トレイを積層して収容する、というものである。
【先行技術文献】
【特許文献】
【０００３】
【特許文献１】特開２００５−１６５２０２号公報
【発明の概要】
【発明が解決しようとする課題】
【０００４】
近年では、個宅内へドロップケーブルを引き込むなど、ファイバ心線を少数だけ接続したいという要望があがっていた。しかしながら、上記した従来技術では多数の融着接続トレイにより多数の接続点を収容するというものであり、接続地点によっては必ずしも最適な用途ではないことがあった。そこで、少数の接続点を収容できるような小型のクロージャが必要とされている。
【０００５】
また、特許文献１に記載されたクロージャは、水中や地中のような水密性・気密性が要求されないような箇所、例えば、メッセンジャワイヤに吊り下げられて架空における設置時に用いられるものであり、それほど過大な水密性・気密性を必要としないことから、ＪＩＳＣ０９２０の保護等級が４級程度（防水性・防沫性）を満たしたクロージャとしたものである。そして、小型のクロージャでも架空設置用に限定して、簡単な構成で過剰な機能を排し、十分な防水性・防沫性を有することで廉価なクロージャを提供したいという要請があった。
【０００６】
また、クロージャは支持物（いわゆる電柱・電信柱）に張り渡されたメッセンジャワイヤから吊り下げられて設置されるため重量化を避けたいという事情があり、クロージャ自体の構造を見直して防水性・防沫性に影響を与えることなくより軽量かつ堅牢な小型のクロージャにしたいという事情もあった。
【０００７】
そこで、本発明は上記した問題に鑑みてなされたものであり、その目的は、少数のファイバ心線の接続に対応するようになされ、十分な防水性・防沫性を有し、軽量かつ堅牢であって小型のクロージャを提供することにある。
【課題を解決するための手段】
【０００８】
本発明の請求項１に係る発明は、
略円筒体であって両端に尖り先の端部を有し、分割可能になされたスリーブと、
スリーブ内のケーブル導入部に取り付けられる端面グロメットと、
光ケーブルの外皮を押さえるケーブル押さえと、
光ケーブルのテンションメンバを把持固定するテンション固定金具と、
ファイバ心線の接続部および余長を収納し、ドロップケーブルを押さえる余長収納トレイと、
スリーブ開閉時に心線のスリーブ挟み込みを防止する心線保護シートと、
ケーブル押さえ、テンション固定金具、余長収納トレイ、および、心線保護シートを固定する連結棒と、
メッセンジャワイヤまたはケーブル吊り線にクロージャを吊り下げる吊り金具と、
を備えることを特徴とするクロージャとした。
【発明の効果】
【０００９】
このような本発明によれば、少数のファイバ心線の接続に対応するようになされ、十分な防水性・防沫性を有し、軽量かつ堅牢であって小型のクロージャを提供することができる。
【図面の簡単な説明】
【００１０】
【図１】本発明を実施するための形態のクロージャの外観の説明図であり、図１（ａ）は正面図、図１（ｂ）は右側面図、図１（ｃ）は底面図である。
【図２】スリーブ分割の説明図であり、図２（ａ）は閉じられたスリーブの側面図、図２（ｂ）は開かれたスリーブの側面図である。
【図３】本発明を実施するための形態のクロージャの内観の説明図であり、図３（ａ）は内部の平面図、図３（ｂ）は内部の正面図である。
【図４】本発明を実施するための形態のクロージャの内部拡大図であり、図４（ａ）は端面グロメットを取り去った端部正面の拡大図、図４（ｂ）は端面グロメットを取り去った端部右側面の拡大図である。
【発明を実施するための形態】
【００１１】
続いて、本発明を実施するための形態について、図１，図２を参照しつつ説明する。まず、クロージャ１００は、外観上は図１に示すように、スリーブ１、吊り金具２を備えている。
【００１２】
スリーブ１は、略円筒体であって両端に尖り先の端部を有し、分割可能になされている。スリーブ１は、本体に巻きつける一体構造で、容易に開閉できる構造としている。また再組立部材が不要な構造としている。
【００１３】
スリーブ１は、架空設置時に下側となる位置に水抜き孔１ａが設けられており、万が一ケーブルを伝って雨水が侵入したり、凝固により内部に水滴が溜まったとしても水抜き孔１ａから下側へ落とす。
【００１４】
スリーブ１は、通常は図１（ｃ）で示すようなラッチ１ｂにより締結されて図１や図２（ａ）で示すように閉じられた状態である。そして、ラッチ１ｂを外して、図２（ｂ）で示すように上側の本体１ｃはそのままで下側の開閉部１ｄ，１ｅを回転させてスリーブ１を取り外すことができる。
【００１５】
このようなスリーブ１では、本体１ｃと開閉部１ｄ，１ｅとが連接部により連接されている。連接部は非常に薄く形成されて折り曲げ自在となっており、本体１ｃに対して開閉部１ｄ，１ｅが開閉可能となる。特に融着接続等の作業をするときにスリーブ１を取り外せば、障害物が取り払われ、作業が容易になる。また、スリーブ１内には多数の梁が一体に形成されているため、機械的に堅牢な構成となっている。
【００１６】
吊り金具２は、メッセンジャワイヤまたはケーブル吊り線にクロージャを吊り下げられる構造とする。
【００１７】
続いて内観では、クロージャ１００は、図３，４に示すように、端面グロメット３、ケーブル押さえ４，テンション固定金具５、余長収納トレイ６、心線保護シート７、連結棒８を備えている。
【００１８】
端面グロメット３は、軟質プラスチック製（あるいはゴム製）であって、図３で示すようにクロージャ端面の左右両側のケーブル導入部に配置され、クロージャ１００の両側から導入されるケーブルを外部環境から封止し、ケーブルの導入箇所からの雨水等の侵入を防止する機能を有する。そして端面グロメット３は、ドロップケーブル２条、光ケーブル（外径φ８〜１２ｍｍ）２条が導入可能である。
【００１９】
ケーブル押さえ４は、図３，図４で示すように入り口側に配置されており、図４（ａ）で示すように、押さえ部４ａがねじ留めによりケーブルの外皮を固定するようになされている。
【００２０】
テンション固定金具５は、光ケーブルのテンションメンバを把持・固定する。例えば、テンションメンバを孔内に挿入し、ねじによりテンションメンバを押さえて固定する。
このように押さえ部４ａがねじ留めによりケーブルの外皮を固定し、かつテンション固定金具５に光ケーブルのテンションメンバを把持・固定させるため、ケーブルが抜け出るような事態が生じないようにしている。
【００２１】
余長収納トレイ６は、光ケーブルから引き出されたＲ１５ファイバ心線の接続部を最大８接続点および余長を収納できる構造とし、ドロップケーブルを最大４条押さえる構造とする。
【００２２】
心線保護シート７は、内部構造の全面を覆うプラシートなどであり、スリーブ１の開閉時に心線のスリーブ挟み込みを防止する。この心線保護シート７の存在により近接して多数ある心線をスリーブ１が挟み込まないようになったため、スリーブ１の小型化に寄与している。
【００２３】
連結棒８は、堅牢な材料の２本の棒体により形成されるものであり、ケーブル押さえ４、テンション固定金具５、余長収納トレイ６、心線保護シート７を固定できる構造としている。
【００２４】
続いて、このようなクロージャによる使用形態について説明する。
このようなクロージャ使用時は、例えば、図１で示したようにスリーブ１により覆われた状態で図示しないメッセンジャワイヤから吊り下げられている。そして、クロージャ１００内の接続を変更する必要が生じた場合にスリーブ１を開けて、図３に示すようにカバー全体を取り去った状態とする。このような状態でさらに、心線保護シート７を取り払い、余長収納トレイ６の一枚を回転移動により引き出して融着接続作業を行うこととなる。これにより架空で余長収納トレイ６上の光ファイバの接続・付け替えなどを行うこととなる。
【００２５】
以上本発明のクロージャでは以下のような利点を有する。
（１）端面グロメットが光ケーブルを伝って浸入する雨水の浸入を防止し、かつ、水抜き孔が水を排出するため、クロージャ内に雨水が溜まる事態を防止する。
【００２６】
（２）また、スリーブが薄い板で梁を充分に張り渡して、軽く堅牢な構造としている。さらに心線保護シートが多数ある心線をスリーブが挟み込まないように保護することで小型構造を可能にしている。加えて連接部により側板を回動自在に接続するため蝶番など不要な構造としている。これら点が相まって全体的に軽量化した構造を実現している。
【００２７】
このように、本体および開閉部による一体構造のスリーブとして製作の容易化を図り、コストを低減させるとともに、防水性・防沫性も維持して、安価で高性能なクロージャとすることができる。
【産業上の利用可能性】
【００２８】
このような本発明のクロージャは、例えば一軒家や集合住宅の個宅へ引き込まれるドロップケーブルの分岐接続のように、少しの接続部を収容する用途で好適である。
【符号の説明】
【００２９】
１００：クロージャ
１：スリーブ
１ａ：水抜き孔
１ｂ：ラッチ
１ｃ：本体
１ｄ，１ｅ：開閉部
２：吊り金具
３：端面グロメット
４：ケーブル押さえ
４ａ：押さえ部
５：テンション固定金具
６：余長収納トレイ
７：心線保護シート
８：連結棒
【図１】
2014186088.tif 000003
【図２】
2014186088.tif 000004
【図３】
2014186088.tif 000005
【図４】
2014186088.tif 000006